(57)【特許請求の範囲】
【請求項１】
表示領域に複数の画素電極を有する第１基板と、第２基板上に共通電極、電気泳動層及び接着層が積層されてなり前記接着層を介して前記第１基板の前記表示領域に貼り合わされた電気泳動シートと、を備えた電気泳動表示装置であって、
複数の前記画素電極のうち隣接する画素電極間の距離が５μｍ以上であり、
複数の前記画素電極は、所定パターンに配列された複数のセグメント電極であり、
複数の前記セグメント電極のそれぞれに平面視で重なる位置に、前記第１基板及び前記セグメント電極を貫通して設けられた貫通孔と、
前記貫通孔の内面を覆うように当該内面に沿って設けられ、一方の端部が前記セグメント電極に接続されると共に他方の端部が前記第１基板のうち前記画素電極の形成された面とは反対側の面に接続され、平面視中央部に前記一方の端部と前記他方の端部とを連通する連通孔を有する接続部と、
を更に備え、
前記連通孔の径が、１００μｍ以下になっている
ことを特徴とする電気泳動表示装置。
【請求項２】
複数の前記画素電極のうち隣接する画素電極間の距離が１００μｍ以下である
ことを特徴とする請求項１に記載の電気泳動表示装置。
【請求項３】
請求項１又は請求項２に記載の電気泳動表示装置を搭載したことを特徴とする電子機器。
【発明の詳細な説明】
【技術分野】
【０００１】
本発明は、電気泳動表示装置及び電子機器に関する。
【背景技術】
【０００２】
近年、電子ペーパーや時計の文字盤などの表示部として、電気泳動表示装置が用いられるようになった。電気泳動表示装置は、液相分散媒と電気泳動粒子とを含む電気泳動分散液を有し、電界を印加することにより、該電気泳動粒子の分布状態が変化して該電気泳動分散液の光学特性が変化することを表示に利用した装置である（例えば、特許文献１参照）。電気泳動表示装置は、視野角が広くコントラストが高いことに加え、表示のメモリ性を有するために低消費電力化が可能であることなどから、次世代の表示デバイスとして注目を集めている。
【０００３】
電気泳動表示装置の具体的な構成としては、複数の画素電極や素子が形成された素子基板の表示領域に電気泳動シートが貼り付けられ、当該電気泳動シート上に保護基板が貼り合わされた構成が知られている。電気泳動シートは共通基板上に電気泳動層及び接着層を積層した構成となっており、当該接着層を介して素子基板に貼り付けられている。このような電気泳動表示装置では、画素電極と共通電極との間に電界を印加することで電気泳動粒子の分布状態を変化させるようになっている。昨今、高精度の表示を行うため隣接する画素電極の間隔は徐々に狭くする傾向にあり、近年の技術では画素電極の間隔を１μｍ以下に形成することも可能になっている。
【特許文献１】特開２００６−１５０７５５号公報
【発明の開示】
【発明が解決しようとする課題】
【０００４】
しかしながら、画素電極の間隔を狭くすることにより、隣接する画素電極からの漏れ電界が印加されてしまう場合があった。この漏れ電界は強度こそ弱いものの、ある程度の時間印加され続けると隣接する画素の表示を変化させてしまう、いわゆるクロストークと呼ばれる現象を引き起こす原因となっていた。
【０００５】
また、画素電極（例えば、セグメント電極）に背面からスルホールを介して電位を印加する構成の場合、当該スルホールの孔に対応する表示領域において、電界が十分に印加されず、点状、または円状にコントラストが不均一になってしまうという問題があった。
【０００６】
このように、従来の電気泳動表示装置では、クロストークなどの影響により、表示品質が悪化してしまうという問題があった。
【０００７】
以上のような事情に鑑み、本発明の目的は、表示品質を維持することが可能な電気泳動表示装置及び電子機器を提供することにある。
【課題を解決するための手段】
【０００８】
上記目的を達成するため、本発明に係る電気泳動表示装置は、表示領域に複数の画素電極を有する第１基板と、第２基板上に共通電極、電気泳動層及び接着層が積層されてなり前記接着層を介して前記第１基板の前記表示領域に貼り合わされた電気泳動シートと、を備えた電気泳動表示装置であって、複数の前記画素電極のうち隣接する画素電極間の距離が５μｍ以上であり、複数の前記画素電極は、所定パターンに配列された複数のセグメント電極であり、複数の前記セグメント電極のそれぞれに平面視で重なる位置に、前記第１基板及び前記セグメント電極を貫通して設けられた貫通孔と、前記貫通孔の内面を覆うように当該内面に沿って設けられ、一方の端部が前記セグメント電極に接続されると共に他方の端部が前記第１基板のうち前記画素電極の形成された面とは反対側の面に接続され、平面視中央部に前記一方の端部と前記他方の端部とを連通する連通孔を有する接続部と、を更に備え、前記連通孔の径が、１００μｍ以下になっていることを特徴とする。
本発明に係る電気泳動表示装置は、表示領域に複数の画素電極を有する第１基板と、第２基板上に共通電極、電気泳動層及び接着層が積層されてなり前記接着層を介して前記第１基板の前記表示領域に貼り合わされた電気泳動シートと、を備えた電気泳動表示装置であって、複数の前記画素電極のうち隣接する画素電極間の距離が５μｍ以上であることを特徴とする。
【０００９】
本発明者は、隣接する画素電極の距離が５μｍ以上である場合に、互いの漏れ電界の影響を受けにくくなることを見出した。そこで、本発明では、複数の画素電極のうち隣接する画素電極間の距離が５μｍ以上であることとしたので、隣接する画素電極が互いの漏れ電界の影響を受けにくくなるため、クロストークの影響を緩和することができる。これにより、表示品質を維持することが可能となる。
【００１０】
上記の電気泳動表示装置は、複数の前記画素電極のうち隣接する画素電極間の距離が１００μｍ以下であることを特徴とする。  
本発明では、複数の画素電極のうち隣接する画素電極間の距離が１００μｍ以下であることとしたので、クロストークの影響を緩和しつつ高精度の表示を行うことが可能となる。
【００１１】
上記の電気泳動表示装置は、前記第１基板には、複数の前記画素電極のそれぞれに対応するスイッチング素子が設けられていることを特徴とする。  
本発明によれば、第１基板に複数の画素電極のそれぞれに対応するスイッチング素子が設けられた、いわゆるアクティブ型の構成において、クロストークの影響を緩和し表示品質を維持することが可能となる。
【００１２】
上記の電気泳動表示装置は、複数の前記画素電極は、所定パターンに配列された複数のセグメント電極であることを特徴とする。  
本発明によれば、複数の画素電極が所定パターンに配列された複数のセグメント電極である、いわゆるセグメント型の構成において、クロストークの影響を緩和し表示品質を維持することが可能となる。
【００１３】
上記の電気泳動表示装置は、複数の前記セグメント電極のそれぞれに平面視で重なる位置に、前記第１基板及び前記セグメント電極を貫通して設けられた貫通孔と、前記貫通孔の内面を覆うように当該内面に沿って設けられ、一方の端部がセグメント電極に接続されると共に他方の端部が前記第１基板のうち前記画素電極の形成された面とは反対側の面に接続され、平面視中央部に前記一方の端部と前記他方の端部とを連通する連通孔を有する接続部と、を有し、前記連通孔の径が、１００μｍ以下になっていることを特徴とする。  
本発明によれば、複数のセグメント電極のそれぞれに平面視で重なる位置に第１基板及びセグメント電極を貫通して設けられた貫通孔と、当該貫通孔の内面を覆うように当該内面に沿って設けられ、一方の端部がセグメント電極に接続されると共に他方の端部が第１基板のうち画素電極の形成された面とは反対側の面に接続され、平面視中央部に一方の端部と他方の端部とを連通する連通孔を有する接続部と、を有し、この連通孔の径が１００μｍ以下になっていることとしたので、連通孔の設けられた領域が非表示領域となるのを回避することができる。セグメント型の構成において表示品質が低下するのを一層確実に回避することができ、表示品質の維持に資することになる。
【００１４】
本発明に係る電子機器は、上記の電気泳動表示装置を搭載したことを特徴とする。  
本発明によれば、表示品質を維持することが可能な電気泳動表示装置が搭載されているので、表示部の表示特性が高い電子機器を得ることができる。
【発明を実施するための最良の形態】
【００１５】
［第１実施形態］  
以下、図面を参照して本発明の第１実施形態を説明する。本実施形態では、アクティブマトリクス型の電気泳動表示装置を例に挙げて説明する。なお、以下の説明に用いた各図においては、各層や各部材を図面上で認識可能な程度の大きさとするため、各層や各部材毎に縮尺を異ならせてある。
【００１６】
図１は本実施形態に係る電気泳動表示装置１の概略構成を示す平面図である。図２は図１におけるＡ−Ａ断面に沿った構成を示す図である。
【００１７】
図１及び図２に示すように、電気泳動表示装置１は、素子基板２、電気泳動シート３及びカバーガラス４を備えており、素子基板２の表面に電気泳動シート３が貼り付けられ、当該電気泳動シート３の表面にカバーガラス４が配置された構成になっている。
【００１８】
電気泳動表示装置１には静止画や動画等の画像を表示する表示領域５が設けられている。表示領域５内にはマトリクス状に配列された複数の画素が設けられており、画素ごとに表示が行われるようになっている。表示領域５の周囲の領域６は、画像が表示されない非表示領域６となっている。この非表示領域６には画素が設けられておらず、駆動回路素子２２，２３、及び端子２４などが設けられている。
【００１９】
素子基板２は、基板２０と、当該基板上に形成された画素電極及び素子などを含む駆動層２１を有している。基板２０としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などを用いることができる。
【００２０】
駆動層２１は基板２０のうち表示領域５に対応する領域に形成されている。この駆動層２１には各画素に設けられる画素電極２５やスイッチング素子２６、当該スイッチング素子２６に接続される不図示のデータ線及び走査線などが形成されている。平面的な駆動層２１の形成領域は、表示領域５と略一致しており、駆動回路素子２２及び２３はこの駆動層２１の周縁部（非表示領域６）に設けられている。当該駆動回路素子２２及び２３はデータ線や走査線に電気的に接続されており、駆動層２１に信号を供給するようになっている。端子２４は素子基板２の端部（図中では右端）に複数設けられており、素子基板２上に形成されている図示しない配線によって駆動回路素子２２及び２３に接続されている。この端子２４は、外部回路基板Ｆに接続されている。
【００２１】
電気泳動シート３は透明基板３０、共通電極３５、電気泳動層３１及び接着層３３を有している。  
透明基板３０は電気泳動層３１を保持する基板であり、例えばポリエチレンテレフタレート（ＰＥＴ）、ポリエーテルスルホン（ＰＥＳ）、ポリカーボネイト（ＰＣ）など光透過性の高い材料からなる矩形の基板である。透明基板３０の表面３０ａ側は電気泳動表示装置１の表示面側になっている。
【００２２】
共通電極３５は透明基板３０の内面３０ｂにはほぼ全面に形成されている。この共通電極３５は例えばＩＴＯ（インジウム・スズ酸化物）などの光透過性の高い導電材料で構成されており、上下導通材９によって素子基板２に接続されている。
【００２３】
電気泳動層３１は複数のマイクロカプセル３２を有している。  
マイクロカプセル３２は電気泳動分散液が封入された略球状のカプセルであり、各カプセルの直径はほぼ同一（４０μｍ〜５０μｍ）になっている。マイクロカプセル３２のカプセル壁膜を形成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液層分散媒とからなる。
【００２４】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００２５】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２６】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００２７】
接着層３３は、粘着性の接着剤であり、その厚さが５０μｍ程度になっている。接着層３３としては、マイクロカプセル３２のカプセル壁膜に対する親和性が良好で、共通電極および画素電極に対する接着性に優れ、かつ絶縁性の良い接着剤であることが好ましい。また、熱硬化タイプでも良いが、硬化後も柔軟性がある接着剤が好ましい。
【００２８】
カバーガラス４は光透過性が高く、平坦度が優れ、キズつきにくいガラスなどが適している。具体的には、無機ガラスや、クリスタルガラスなどを用いることができる。また、サファイヤガラスや、アクリルガラスであっても良い。このカバーガラス４と電気泳動シート３との間は、例えば両面テープなどの透明な接着層１１により固定されている。カバーガラス４と素子基板２との間には封止材７が設けられている。封止材７を構成する材料としては、例えばエポキシ系、アクリル系、シリコン系の樹脂などが挙げられる。本実施形態では、封止材７はエポキシ樹脂で形成されている。
【００２９】
電気泳動層３１は素子基板２と透明基板３０とで挟持されているとともにカバーガラス４によって覆われており、さらに周縁部が封止材７で封止されている。電気泳動層３１は水分が入ると表示不良が発生し、また、劣化してしまうため、このように当該層を覆う構成を採用することにより、電気泳動層への水分の浸入を防止している。なお、電気泳動表示装置１に可撓性が求められる場合には、硬質なカバーガラス４を用いないことが好ましい。この場合、透明基板３０をそのまま表示面として用いることにより、フレキシブルな表示装置を実現することができる。
【００３０】
図３は、電気泳動表示装置１の断面を拡大した図であり、画素電極２５の構成を示すものである。  
同図に示すように、各画素電極２５の図中左右方向の寸法ｄ１は８０μｍ程度になっており、このような画素電極２５が距離ｄ２をおいて配列されている。当該距離ｄ２については、５μｍ以上１００μｍ以下であることが好ましく、本実施形態では８μｍになっている。当該距離ｄ２を５μｍ以上とすることで、隣接する画素電極２５の電界の影響を受ける部分ｄ３の範囲が大きくなりすぎるのを回避し、表示特性の悪化を防ぐことができるようになっている。また、当該距離ｄ２を１００μｍ以下とすることで、非表示領域が広くなりすぎるのを回避し、表示精度の維持を図っている。距離ｄ２を８μｍとした場合、隣接画素電極２５からの電界の影響を受ける部分ｄ３は１０μｍ程度となり、有効な画素領域（ｄ１−２ｄ３）を十分に確保できることから、表示への影響がほとんど気にならなくなる。
【００３１】
ちなみに、画素電極２５と共通電極３５との間隔は、マイクロカプセル３２の厚さに接着層３３の厚さを加えた、概ね９０μｍ〜１００μｍとなっており、上記距離ｄ２の設定も、この間隔を前提として導出された寸法である。従って、当該間隔が９０μｍ〜１００μｍと異なる場合においては、前述した寸法の比率（間隔と距離ｄ２との比率）を求めて、当該比率に基づいた距離ｄ２を導出することもできる。
【００３２】
次に、上記のように構成された電気泳動表示装置１の動作を簡単に説明する。  
画素電極２５と共通電極３５との間に共通電極３５の電圧が画素電極２５に対して相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域５にはこの白色の電気泳動粒子の色（白色）が表示されることとなる。
【００３３】
逆に、画素電極２５と共通電極３５との間に画素電極２５の電位が共通電極３５に対して相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域５には黒色の電気泳動粒子の色（黒色）が表示されることとなる。
【００３４】
図４は、画素電極の電位が共通電極の電位に対して高くなるように電圧を印加したときに発生する電界の様子を示す図である。図４（ａ）は従来の構成に係る電気泳動表示装置５１について示す図である。図４（ｂ）は本実施形態の構成に係る電気泳動表示装置１について示す図である。説明の簡単のため、従来の構成に係る電気泳動表示装置５１と本実施形態の構成に係る電気泳動表示装置１について、同一の構成要素には同一の符号を付すものとする。
【００３５】
図４（ａ）及び図４（ｂ）に示すように、図中左右方向に３つの画素電極２５が配列されており、この３つの画素電極２５のうち例えば両端の画素電極２５について電圧を印加した場合、当該両端の画素電極２５の中央部寄りの端部から放射状に電界が発生し、隣接する画素電極２５上の領域にまで及ぶこととなる。この放射状の漏れ電界は、隣接する画素電極２５上に設けられたマイクロカプセルに悪影響を及ぼすことになる。
【００３６】
図４（ａ）に示す従来の構成においては、隣接する画素電極２５間の距離ｄ４は上記実施形態における画素電極２５間の距離ｄ２に比べて一般的に小さく、中には例えば１μｍ以下となっているものもある。このため、中央の画素電極２５上における領域のうち放射状の電界によって影響を受ける部分ｄ５はその分広範囲に亘ることとなる。画素電極２５上の領域のうち安定表示に寄与する領域は当該部分ｄ５を除いた領域となるため、従来では画素電極２５上の領域のうち大部分がクロストークの影響を受けてしまっていた。
【００３７】
これに対して、図４（ｂ）に示す本実施形態の構成においては、隣接する画素電極２５間の距離ｄ２が８μｍ程度としたので、中央の画素電極２５上の領域のうち放射状の電界によって影響を受ける部分ｄ３は、従来の電気泳動表示装置に比べて狭い範囲（例えば１０μｍ程度）に抑えられることになる。
【００３８】
このように、本実施形態によれば、複数の画素電極２５のうち隣接する画素電極２５間の距離ｄ２が５μｍ以上であることとしたので、隣接する画素電極２５が互いの漏れ電界の影響を受けにくくなるため、クロストークの影響を緩和することができる。これにより、表示品質を維持することが可能となる。また、本実施形態では、隣接する画素電極２５間の距離ｄ２が１００μｍ以下であることとしたので、クロストークの影響を緩和しつつ高精度の表示を行うことが可能となる。
【００３９】
［第２実施形態］  
以下、本発明の第２実施形態を説明する。本実施形態では、セグメント型の電気泳動表示装置を例に挙げて説明する。  
図５は本発明の電気泳動表示装置１０１の一実施形態を示す図であり、図６は図５に示す電気泳動表示装置１０１のＢ−Ｂ断面に沿った断面図であり、第１実施形態における図３に対応している。なお、以下の説明に用いた各図においては、各層や各部材を図面上で認識可能な程度の大きさとするため、各層や各部材毎に縮尺を異ならせてある。
【００４０】
図５及び図６に示すように、電気泳動表示装置１０１は、表示領域１０９に複数の画素電極１０２を有する素子基板１０３と、透明基板１０５上に共通電極１０４、マイクロカプセル１０６及び接着層１１０が積層されてなり当該接着層１１０を介して素子基板１０３の表示領域１０９に貼り合わされた電気泳動シート１１１とを有している。
【００４１】
素子基板１０３、透明基板１０５としては、それぞれ第１実施形態と同様の材料によって構成されている。素子基板１０３のうち透明基板１０５から張り出した部分（張出部）１０３ａのうち画素電極１０２の形成された面とは反対側の面には、フレキシブル基板（図示省略）が実装される端子部１０８と、画素電極１０２及び上下導通部１０７のそれぞれから端子部１０８に延びる引き廻し配線１１２が形成されている。画素電極１０２及び配線１１２は例えば銅などの金属によって構成されている。また、当該画素電極１０２及び配線１１２の表面にニッケルメッキ及び金メッキをこの順番で施した構成としても構わない。
【００４２】
素子基板１０３の内面側の表示領域１０９には所定形状に設計された複数の画素電極１０２が形成されている。本実施形態において、画素電極１０２は長細の６角形状からなる７つのセグメント電極１０２ａ，１０２ｂから構成され、７つのセグメント電極１０２ａ，１０２ｂが８の字状（いわゆるセブン・セグメント）に配列されている。ここで、セグメント電極１０２ａはその長手方向が素子基板１０３の短手方向に沿って配列されたものであり、セグメント電極１０２ｂはその長手方向が素子基板１０３の長手方向に沿って配列されたものである。
【００４３】
本実施形態において７つのセグメント電極１０２ａ，１０２ｂの集合をセグメント電極群１０２ｃとよぶ。これにより、１つのセグメント電極群１０２ｃによって０から９までの数字を表示することが可能となっている。また、本実施形態では３桁の数字を表示可能とするために、セグメント電極群１０２ｃが３つ配列されているが、当該セグメント電極群１０２ｃの配列数は２つ以下あるいは４つ以上であっても構わない。隣接するセグメント電極１０２ａ、１０２ｂ間の距離ｄ６は５μｍ以上１００μｍ以下であることが好ましく、本実施形態では５０μｍ程度になっている。距離ｄ６を５０μｍとしたことにより、基板製造マージンを確保することができ、製造コストを抑えることができる。
【００４４】
また、図６に示すように、電気泳動表示装置１０１には、複数のセグメント電極１０２ａ、１０２ｂのそれぞれに平面視で重なる位置に、当該セグメント電極１０２ａ、１０２ｂ及び素子基板１０３を貫通して設けられた貫通孔１０３ｂが設けられている。この貫通孔１０３ｂは、スルホールであり、例えば素子基板１０３上にセグメント電極１０２ａ、１０２ｂ及び配線１１２を形成した状態で、当該素子基板１０３、セグメント電極１０２ａ、１０２ｂ及び配線１１２を貫通するようにドリルによって形成する。
【００４５】
貫通孔１０３ｂの内面には接続部１０２ｄが形成されている。接続部１０２ｄは、貫通孔１０３ｂの内面を覆うように当該内面に沿って設けられており、一方の端部がセグメント電極１０２ａ、１０２ｂに接続されている。また、接続部１０２ｄの他方の端部は、素子基板１０３のうちセグメント電極１０２ａ、１０２ｂの設けられる面とは反対側の面に形成された配線１１２に接続されている。接続部１０２ｄのうち平面視中央部には、当該一方の端部と他方の端部とを連通する連通孔１０２ｅが設けられている。当該連通孔１０２ｅの径ｄ７は１００μｍ以下であることが好ましく、本実施形態では径ｄ７が例えば８０μｍ程度になっている。なお、当該接続部１０２ｄは、貫通孔１０３ｂを形成した状態でメッキ法を施すことによって形成する。
【００４６】
ちなみに、前述した連通孔１０２ｅの径ｄ７は、画素電極２５と共通電極３５との間隔（９０μｍ〜１００μｍ）を前提として導出された寸法である。従って、当該間隔が前記前提と異なる場合においては、前述した寸法の比率（間隔と径ｄ７との比率）を求めて、当該比率に基づいた径ｄ７を導出することもできる。
【００４７】
上記のように構成された電気泳動表示装置１０１において、例えば図６中の左右方向の両端に配置された画素電極１０２と共通電極１０４との間に画素電極１０２の電位が共通電極１０４に対して相対的に高くなるように電圧を印加すると、当該両端の画素電極１０２の中央部寄りの端部から放射状に電界が発生し、隣接する画素電極１０２上の領域にまで及ぶこととなる。本実施形態の構成においては、隣接する画素電極１０２間の距離ｄ６が５０μｍ程度としたので、放射状の電界によって影響を受ける部分ｄ８は、従来の電気泳動表示装置に比べて狭い範囲に抑えられることになる。
【００４８】
このように、本実施形態によれば、複数の画素電極１０２が所定パターンに配列された複数のセグメント電極１０２ａ、１０２ｂである、いわゆるセグメント型の構成において、クロストークの影響を緩和し表示品質を維持することが可能となる。また、本実施形態によれば、素子基板１０３が、複数のセグメント電極１０２ａ、１０２ｂのそれぞれに平面視で重なる位置に貫通孔１０３ｂを有しており、貫通孔１０３ｂの内面を覆うように当該内面に沿って設けられた接続部１０２ｄの連通孔１０２ｅの径ｄ７が１００μｍ以下になっていることとしたので、連通孔１０２ｅに対応する表示領域においても電界が十分に印加されることになる。これは、径ｄ７が最適化されているため、連通孔１０２ｅ周縁の画素電極１０２からの電界によるクロストーク現象によって、当該表示領域が周囲と同様な表示となるからである。従って、従来の電気泳動表示装置のように当該領域が点状、または円状にコントラストが不均一になってしまうことを防止することができる。これにより、セグメント型の構成において表示品質が低下するのを一層確実に回避することができ、表示品質の維持に資することになる。
【００４９】
［電子機器］  
次に、上記実施形態の電気泳動表示装置１、１０１を、電子機器に適用した場合について説明する。  
図７は、腕時計１０００の正面図である。腕時計１０００は、時計ケース１００２と、時計ケース１００２に連結された一対のバンド１００３とを備えている。
【００５０】
時計ケース１００２の正面には、上記実施形態の電気泳動表示装置１、１０１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００５１】
図８は電子ペーパー１１００の構成を示す斜視図である。電子ペーパー１１００は、上記各実施形態の電気泳動表示装置１、１０１と略同様な電気泳動表示装置を表示領域１１０１に備えている。当該電気泳動表示装置は、図２に示された電気泳動表示装置１、１０１から、カバーガラス４を除いた構成となっている。電子ペーパー１１００は可撓性を有し、従来の紙と同様の質感及び柔軟性を有する書き換え可能なシートからなる本体１１０２を備えて構成されている。
【００５２】
図９は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００５３】
以上の腕時計１０００、電子ペーパー１１００、及び電子ノート１２００によれば、表示部に本発明に係る電気泳動表示装置１が採用されているので、表示特性の高い表示部を備える電子機器となっている。
【００５４】
なお、図７から図９に示した電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【００５５】
本発明の技術範囲は上記実施形態に限定されるものではなく、本発明の趣旨を逸脱しない範囲で適宜変更を加えることができる。  
例えば、
【図面の簡単な説明】
【００５６】
【図１】本発明の第１実施形態に係る電気泳動表示装置の構成を示す平面図。
【図２】電気泳動表示装置の構成を示す断面図。
【図３】電気泳動表示装置の断面を拡大して示す図。
【図４】電気泳動表示装置に発生する電界の様子を示す図。
【図５】本発明の第２実施形態に係る電気泳動表示装置の構成を示す平面図。
【図６】電気泳動表示装置の構成を示す断面図。
【図７】電子機器の一例である腕時計を示す図。
【図８】電子機器の一例である電子ペーパーを示す図。
【図９】電子機器の一例である電子ノートを示す図。
【符号の説明】
【００５７】
１、１０１…電気泳動表示装置  ２、１０３…素子基板  ３、１１１…電気泳動シート  ５、１０９…表示領域  ２５、１０２…画素電極  ２６…スイッチング素子  ３０、１０５…透明基板  ３１…電気泳動層  ３２、１０６…マイクロカプセル  ３３、１１０…接着層  ３５、１０４…共通電極  １０２ａ、１０２ｂ…セグメント電極    １０２ｄ…接続部  １０２ｅ…連通孔  １０３ｂ…貫通孔  １１２…配線  １０００…腕時計  １１００…電子ペーパー  １２００…電子ノート
【図１】
0005266815.tif 000002
【図２】
0005266815.tif 000003
【図３】
0005266815.tif 000004
【図４】
0005266815.tif 000005
【図５】
0005266815.tif 000006
【図６】
0005266815.tif 000007
【図７】
0005266815.tif 000008
【図８】
0005266815.tif 000009
【図９】
0005266815.tif 000010